(57)【要約】      （修正有）【課題】歩行に支障のある人が安心して安全に且つ便利に自力歩行することが可能となる歩行補助器具を提供する。【解決手段】床面走行用の転動装置９および１０を備えた椅子型の歩行補助器具１を構成し、座板５の座面５１に鞍形状の突起Ｔを備える。一対の肘掛６を備え、各々の肘掛６に互いの間隔を拡縮可能な可動部材７を設けるほか、制動装置を備え、この制動装置を肘掛６に設けた可動部材７により操作する構成とする。【選択図】図１
0003223825.tif 000002
【実用新案登録請求の範囲】
【請求項１】
床面走行用の転動装置を備えた椅子型の歩行補助器具であって、鞍形状の突起および／または坐骨に対応する窪みを設けた座面を備え、着座姿勢での自力歩行を可能とするものである歩行補助器具。
【請求項２】
一対の肘掛を備え、各々の肘掛に互いの間隔を拡縮可能な可動部材を設けたものである請求項１に記載の歩行補助器具。
【請求項３】
制動装置を備え、この制動装置を肘掛に設けた可動部材により操作するものである請求項２に記載の歩行補助器具。
【考案の詳細な説明】
【技術分野】
【０００１】  本考案は、主に病人や怪我人あるいは高齢者や障害者など、凡そ歩行に支障のある人が用いて便利な歩行補助器具に関するものである。
より詳しくは、直立歩行が困難あるいは不安な人が、着座した姿勢で安心して自力歩行することが可能となる歩行補助器具の構造に関するものである。
【背景技術】
【０００２】  従来、歩行補助器具としては、平面視コの字形状やＵの字形状の籠枠の中に人が入り腕や手で押し歩く直立型の歩行補助器具や、ハンドルや取っ手を握り人が後方から押し歩く手押し車型の歩行補助器具のほか、人が跨りサドルに座り足で床面を蹴り進む３輪〜４輪の自転車型の歩行補助器具などがあった。
直立型には腕を載せるパッドや手で掴むグリップを備えたものもあり、手押し車型には荷物を載せたり人が座って休憩できる椅子を備えたものもあり、自転車型には方向転換も可能なハンドルを備えるなど、様々な工夫が凝らされている。
【考案の概要】
【考案が解決しようとする課題】
【０００３】  しかしながら、上述したような各種の歩行補助器具には、それぞれに特有で深刻な問題があった。
直立型の歩行補助器具については、腕を載せ損ねたり手で掴み損ねたり、足が躓いたりもつれたりすると、人の体全体のバランスが崩れて、よろけて籠枠にもたれ掛かることとなり、不用意に動き出したり歩行補助器具もろとも転倒してしまう危険があった。
手押し車型の歩行補助器具については、足元の床面が良く見えず、足が躓いたりもつれたりすると、体がついて行かず歩行補助器具だけが前方に移動し、バランスを崩して人が転倒してしまう危険があった。
自転車型の歩行補助器具については、着座すれば安定しているが、着座するためには、先ず一方の足で片足立ちして、次に他方の足でサドルを跨ぐ必要があり、そもそも歩行に支障のある人にとっては辛いものがあるほか、服装によっては憚られるものがあった。【０００４】  本考案は、上述のような現状に鑑みて成されたものであり、歩行に支障のある人が安心して安全に且つ便利に自力歩行することが可能となる歩行補助器具を提供することを課題とするものである。
【課題を解決するための手段】
【０００５】  上記のような課題を解決するために、本考案の歩行補助器具は、床面走行用の転動装置を備えた椅子型とするものであり、鞍形状の突起や坐骨に対応する窪みを設けた座面を備え、着座姿勢での自力歩行を可能とすることを基本とするものである。また、一対の肘掛を備え、各々の肘掛に互いの間隔を拡縮可能な可動部材を設けるほか、制動装置を備え、この制動装置を肘掛に設けた可動部材により操作するものである。
尚、以上および以下の記述に於いて、床面とは路面や地面などを含み凡そ人が歩行する面を意味し、転動装置とは車輪やボールやローラーあるいは履帯などを備えて凡そ床面上を走行可能な装置を意味する用語として用いるものである。また、鞍形状の突起を設けた座面とは、座面の左右中央部に前後方向の突条部位を設けた座面形状を意味する用語として用いるものである。
【考案の効果】
【０００６】  本考案の歩行補助器具は、上述のような構成としたことにより、歩行に支障のある人が安心して安全に且つ便利に自力歩行することが可能となる。
即ち、椅子型としたことにより着座姿勢で歩行することができるため、たとえ腕や手が歩行補助器具から不意に離れたり足が躓いたりもつれたりしても、人の体全体のバランスが崩れることがなく安定しており、不用意に動き出したり転倒する危険がない。更には、跨いで着座する必要がなく、通常の椅子のように腰掛けて座れば良いだけであり、歩行に支障のある人が容易に着座することができ、服装も憚ることがない。
また、鞍形状の突起を設けた座面を備えることにより、突起を両方の足の大腿部で挟む状態となるため、体全体が更に安定するほか、膝下の足で前進歩行する際に臀部や股部で突起を前方へ押すことができ、前進歩行が容易になる。更には、進行方向を転換する際に片方の大腿部で突起を内側方向に押しつつ足先で床面を外側方向に蹴ることにより、歩行補助器具全体に回転モーメントを与えて、足だけで容易に方向転換することができる。
坐骨に対応する窪みを設けた座面を備えることにより、窪みに坐骨が嵌る状態となるため、体全体が更に安定するほか、前進歩行が更に容易になる。
そして、一対の肘掛に設けた可動部材の互いの間隔を拡縮することにより、乗降時には広くして人の移動を可能とし、着座状態では狭くして人の移動を不可能とすることができ安全性を高めることができる。
更に、可動部材により制動装置を操作することにより、下り斜面で安全な速度とすることができるほか、乗降時には広くして人の移動を可能としつつ歩行補助器具を停止状態に維持し、安心して安全に乗降することができる。
【図面の簡単な説明】
【０００７】
【図１】  本考案の実施例を示す斜視図である。
【図２】  図１に示す実施例の座板５を示す斜視図および断面図である。
【図３】  図１に示す実施例の使用状態を示す座板と人体の簡略図である。
【図４】  本考案の他の実施例を示す斜視図および断面図である。
【図５】  本考案の他の実施例を示す斜視図および断面図である。
【図６】  （ａ）（ｂ）は図１に示す実施例の使用状態を示す簡略平面図である。
【図７】  （ａ）（ｂ）は本考案の他の実施例の使用状態を示す簡略平面図である。
【図８】  （ａ）（ｂ）は本考案に使用し得る他の部品を示す斜視図である。
【図９】  本考案の他の実施例を示す斜視図である。
【考案を実施するための最良の形態】
【０００８】
【実施例】
【０００９】  本考案の実施例を以下、図面に基づいて説明する。尚、各図において共通する部分には同一の符号を付し重複する説明は省略する。
図１は本考案の実施例を示す斜視図であり、歩行補助器具１は、枠体２、支柱３、支柱４、座板５、肘掛６、可動部材７、背もたれ８、前キャスタ９、後キャスタ１０、カバー１１などから成る椅子型のものである。このように椅子型とすることにより、着座姿勢で歩行することができるため、たとえ腕や手が歩行補助器具から不意に離れたり足が躓いたりもつれたりしても、人の体全体のバランスが崩れることがなく安定しており、不用意に動き出したり転倒する危険がない。更には、跨いで着座する必要がなく、通常の椅子のように腰掛けて座れば良いだけであり、歩行に支障のある人が容易に着座することができ、服装も憚ることがない。【００１０】  歩行補助器具１の基本的な構造は、膝から下の足で歩行するため前方を解放したコの字形状の枠体２に、２本の支柱３および１本の支柱４を立設し、これらの支柱にて座板５と肘掛６を支持し、肘掛６に可動部材７と背もたれ８を設けている。９と１０は転動装置としてのキャスタであり、前キャスタ９は方向転換可能な自在キャスタであり、後キャスタ１０は固定キャスタである。前キャスタに足が巻き込まれないようにカバー１１を備えている。
尚、このような構造は椅子型とするための一例であり、この他にも種々多様な形態が考えられる。本考案の歩行補助器具は、要は椅子型とすることを基本とするものである。【００１１】  図２は図１に示す実施例の座板５を示す斜視図および断面図であり、座板５の座面５１に鞍形状の突起Ｔを設けている。突起Ｔは座面５１の左右中央部に前後方向に設けた突条部位であり、前方から後方へなだらかに低く狭くなる山型の突条部位である。
このような鞍形状の突起Ｔを設けた座面５１を備えることにより、突起Ｔを両方の足の大腿部で挟む状態となるため、体全体が更に安定するほか、膝下の足で前進歩行する際に臀部や股部で突起Ｔを前方へ押すことができ、前進歩行が容易になるものである。【００１２】  図３は図１に示す実施例の使用状態を示す座板５と人体の簡略図である。歩行中あるいは停止中に進行方向を転換する際には、片方の足の大腿部で突起Ｔを矢示Ａ方向（内側）に押しつつ足先で床面Ｆを矢示Ｂ方向（外側）に蹴ることにより、歩行補助器具１全体に回転モーメントＭを与え、足だけで容易に方向転換することができる。【００１３】  図４は本考案の他の実施例を示す斜視図および断面図であり、座板２０の座面２１に、坐骨に対応する窪みＫを設けている。このような構成とすることにより、窪みＫに坐骨が嵌る状態となるため体全体が更に安定するほか、前進歩行が更に容易になるものである。【００１４】  図５は本考案の他の実施例を示す斜視図および断面図であり、座板３０の座面３１に、鞍形状の突起Ｔおよび坐骨に対応する窪みＫを設けている。このような構成とすることにより、体全体がより安定すると共に前進歩行がより容易になるものである。【００１５】  図６の（ａ）（ｂ）は図１に示す実施例の使用状態を示す簡略平面図である。歩行補助器具１は一対の肘掛６を備え、各々の肘掛６に互いの間隔を拡縮可能な可動部材７を設けている。肘掛６と可動部材７は共に円弧形状であり、可動部材７は肘掛６に対し円弧状にスライドする機構（不図示）となっている。尚、７１は可動部材７に設けた取手である。
このような構成とすることにより、（ａ）のように可動部材７を矢示Ａ方向にスライドして互いの間隔を縮小して狭い寸法Ｗ１とし、着座状態での人の移動を不可能として安全性を高めることができる。また、（ｂ）のように可動部材７を矢示Ｂ方向にスライドして互いの間隔を拡大して広い寸法Ｗ２とし、乗降時には人の移動を容易に可能とし、安全性を高めることができる。【００１６】  更に、可動部材７のスライド量にて制動装置（不図示）を操作する機構とした場合は、下り斜面で安全な速度とすることができ、乗降時には可動部材７の互いの間隔を広くして人の移動を可能としつつ歩行補助器具１を停止状態に維持し安心して安全に乗降することができる。制動装置としては、例えばブレーキ付きキャスタなど種々の物が利用できる。【００１７】  図７の（ａ）（ｂ）は本考案の他の実施例の使用状態を示す簡略平面図である。一対の肘掛１２はＬ字形状であり、各々の肘掛１２に互いの間隔を拡縮可能な直線形状の可動部材１３を設けている。可動部材１３は肘掛１２に対し基部を軸に回動する機構（不図示）となっている。
このような構成とすることにより、（ａ）のように可動部材１３を矢示Ａ方向に回動して互いの間隔を縮小して狭い寸法Ｗ１とし、着座状態での人の移動を不可能として安全性を高めることができる。また、（ｂ）のように可動部材１３を矢示Ｂ方向に回動して互いの間隔を拡大して広い寸法Ｗ２とし、乗降時には人の移動を容易に可能とし、安全性を高めることができる。【００１８】  更に、可動部材１３の回動量にて制動装置（不図示）を操作する機構とした場合は、下り斜面で安全な速度とすることができ、乗降時には可動部材１３の互いの間隔を広くして人の移動を可能としつつ歩行補助器具１を停止状態に維持し安心して安全に乗降することができる。制動装置としては、例えばブレーキ付きキャスタなど種々の物が利用できる。【００１９】  図８の（ａ）（ｂ）は本考案に使用し得る他の物品を示す斜視図である。（ａ）はボールキャスタなどと称される転動装置であり、（ｂ）はローラーキャスタなどと称される転動装置である。本考案に使用し得る転動装置は他にも種々多様なものがあり、また、制動装置を備えたものも種々多様なものがあり、使用環境や種々の条件などに応じて適宜選択することが好ましい。【００２０】  図９は本考案の他の実施例を示す斜視図であり、歩行補助器具４０は、４本の脚４１、座板４２、背もたれ４３、キャスタ４４、などから成る簡素化した椅子型のものである。足の動きの自由度を増すために前方の角部を無くした座板４２の座面４２１に、鞍形状の突起Ｔと坐骨に対応する窪みＫを設けている。キャスタ４４は４個とも全て自在キャスタであり、人が着座すると体重によりブレーキが解除される機構（不図示）を備えている。
このような構成とすることにより、一層活発な歩行や移動が可能となるものである。
【産業上の利用可能性】
【００２１】  本考案の歩行補助器具は、以上の説明の如き内容のものであり、歩行に支障のある人が安心して安全に且つ便利に自力歩行することが可能となるものである。
そして、特筆すべきは歩行中や停止状態で両手が解放され自由になることである。物を持ったり運んだり、何か作業をしたり、遊びやスポーツを楽しむことも一定可能となる。このことは、ＱＯＬ（クオリティ・オブ・ライフ：人生の質や生活の質）向上に繋がるものであり、極めて重要なことである。特に、着座姿勢という実に安定した姿勢において、膝から下の足だけで前進・後退・左右への方向転換・その場での転回などが可能であり、両手が解放され自由に使えることは、限りないＱＯＬ向上の可能性を持つものである。
また、本考案の歩行補助器具は健常者にとっても有益なものである。しゃがんだ姿勢や中腰の姿勢での作業はいたるところにあり、着座して自由に移動でき両手が自由になることにより、辛い姿勢での作業から解放される可能性は多いものと思われる。
【符号の説明】    １、４０                  歩行補助器具
５１、２１、３１、４２１  座面
６、１２                  肘掛
７、１３                  可動部材
９、１０、４４            転動装置
Ｔ                        鞍形状の突起
Ｋ                        坐骨に対応する窪み
【図１】
0003223825.tif 000003
【図２】
0003223825.tif 000004
【図３】
0003223825.tif 000005
【図４】
0003223825.tif 000006
【図５】
0003223825.tif 000007
【図６】
0003223825.tif 000008
【図７】
0003223825.tif 000009
【図８】
0003223825.tif 000010
【図９】
0003223825.tif 000011